(57)【要約】  【課題】      下腕部を手摺の平坦面に置いて体重をかけた場合でも、下腕部に痛みが生じることのない手摺を提供する。  【解決手段】  手摺１０は、歩行の補助具として、または、立ち上がり動作の補助具として壁面１２に取り付けられるものであり、上面に下腕部が置かれる平坦面１４ａを有する手当たり部１４と、手当たり部１４の歩行者側の側端部に下方へ突出するように形成されたにぎり部１６と、手当たり部１４の壁面側の側端部に壁面１２に接するように形成された固定部１８とを備えている。歩行者の歩行や立ち上がり動作では、下腕部を手当たり部１４の平坦面１４ａに置いて体重をかけることになるが、にぎり部１６は手当たり部１４の歩行者側の側端部から下方へ突出して形成されているので、にぎり部１６が下腕部に押し当てられることはない。【選択図】    図１
2005264649.tif 000002
【特許請求の範囲】
【請求項１】
歩行の補助具として、または、立ち上がり動作の補助具として壁面に取り付けられる手摺であって、
上面に下腕部が置かれる平坦面または滑らかな凹曲面を有する手当たり部、
前記手当たり部の歩行者側の側端部に下方へ突出するように形成されたにぎり部、および
前記手当たり部の壁面側の側端部に前記壁面に接するように形成された固定部を備える、手摺。
【請求項２】
前記手当たり部の上面の前記平坦面は、前記壁面へ向かって下方へ傾くように傾斜している、請求項１に記載の手摺。
【請求項３】
前記固定部は、前記手当たり部から上方へ突出した上側突部を有し、前記上側突部の前記手当たり部側の側面は、前記壁面へ向かって上方へ傾くように傾斜している、請求項１または２に記載の手摺。
【請求項４】
前記上側突部の前記手当たり部側の側面を覆うカバーを有する、請求項３に記載の手摺。
【請求項５】
前記手当たり部の上面および前記にぎり部の表面には滑り止めの塗装が施されている、請求項１ないし４のいずれかに記載の手摺。
【請求項６】
前記壁面に固定された壁面固定部材が挿入される挿入溝を有する、請求項１ないし５のいずれかに記載の手摺。
【請求項７】
歩行の補助具として、または、立ち上がり動作の補助具として壁面に取り付けられる手摺の施工方法であって、
前記手摺は、上面に下腕部が置かれる平坦面または滑らかな凹曲面を有する手当たり部と、前記手当たり部の歩行者側の側端部から下方へ突出して形成されたにぎり部と、前記手当たり部の壁面側の側端部に前記壁面に接するように形成され、前記壁面に対して固定される固定部と、前記壁面に固定された壁面固定部材が挿入される挿入溝とを備えており、
（ａ）前記壁面に前記壁面固定部材を固定し、
（ｂ）前記挿入溝に前記壁面固定部材を挿入した状態で前記固定部を前記壁面に接触させ、
（ｃ）前記固定部を前記壁面に固定金具を用いて固定する、手摺の施工方法。
【発明の詳細な説明】
【技術分野】
【０００１】
本発明は、高齢者や病人等の足腰が弱い歩行者が屋内を移動する際に、歩行の補助具として、または、立ち上がり動作の補助具として用いられる、手摺およびその施工方法に関する。
【背景技術】
【０００２】
この種の手摺の一例が、特許第３３２７００５号（特許文献１）や、特開２００３−２０６６０８号（特許文献２）に開示されている。これらの従来技術では、壁面に取り付けられる「本体部」または「肘掛部」の上面が平坦に形成されており、この平坦面から上方へ突出して「にぎり部」または「膨出部」が形成されていた。
【特許文献１】特許第３３２７００５号
【特許文献２】特開２００３−２０６６０８号
【発明の開示】
【発明が解決しようとする課題】
【０００３】
上述の従来技術（特許文献１，２）では、「本体部」または「肘掛部」の上面（平坦面）から上方へ突出して「にぎり部」または「膨出部」が形成されていたので、手摺に置いた下腕部（肘、手のひら等）が歩行者側へ滑るのを防止できた。しかし、リウマチ等で握力の衰えた者は、歩行または立ち上がり動作の際に、下腕部を手摺に載せた状態でかなりの体重をかけるため、「にぎり部」または「膨出部」が下腕部に押し当てられて痛みが生じるという問題があった。
【０００４】
それゆえに、この発明の主たる目的は、下腕部を手摺に置いて体重をかけた場合でも、下腕部に痛みが生じることのない手摺およびそのような手摺の施工方法を提供することである。
【課題を解決するための手段】
【０００５】
請求項１に記載した発明は、「歩行の補助具として、または、立ち上がり動作の補助具として壁面１２に取り付けられる手摺１０であって、上面に下腕部が置かれる平坦面１４ａまたは滑らかな凹曲面１４ｂを有する手当たり部１４、手当たり部１４の歩行者側の側端部に下方へ突出するように形成されたにぎり部１６、および手当たり部１４の壁面側の側端部に壁面１２に接するように形成された固定部１８を備える、手摺１０」である。
【０００６】
この発明では、壁面１２に対して固定部１８が固定金属（釘、ビス等）２０を用いて固定される。そして、歩行や立ち上がり動作では、手当たり部１４の平坦面１４ａまたは滑らかな凹曲面１４ｂに下腕部が置かれ、そこに体重がかけられる。このとき、にぎり部１６は手当たり部１４の歩行者側の側端部から下方へ突出して形成されているので、にぎり部１６が下腕部に押し当てられることはない。また、手当たり部１４に手のひらが置かれたときには、にぎり部１６に親指が掛けられる。
【０００７】
請求項２に記載した発明は、請求項１に記載した「手摺１０」において、「手当たり部１４の上面の平坦面１４ａは、壁面１２へ向かって下方へ傾くように傾斜している」ことを特徴とする。
【０００８】
この発明では、手当たり部１４の上面の平坦面１４ａが壁面１２へ向かって下方へ傾いているので、そこに置かれた下腕部が歩行者側へ滑り落ちることはない。
【０００９】
請求項３に記載した発明は、請求項１または２に記載した「手摺１０」において、「固定部１８は、手当たり部１４から上方へ突出した上側突部１８ｂを有し、上側突部１８ｂの手当たり部１４側の側面は、壁面１２へ向かって上方へ傾くように傾斜している」ことを特徴とする。
【００１０】
この発明では、上側突部１８ｂの手当たり部１４側の側面が壁面１２へ向かって上方へ傾くように傾斜しているので、手当たり部１４の上面に置いた下腕部が動いた場合でも、固定部１８によって下腕部が圧迫されることはない。
【００１１】
請求項４に記載した発明は、請求項３に記載の「手摺１０」において、「上側突部１８ｂの手当たり部１４側の側面を覆うカバー２２を有する」ことを特徴とする。
【００１２】
この発明では、固定部１８の傾斜面１８ｄに装着された固定金具（釘、ビス等）２０をカバー２２で覆い隠すことができるので、意匠性を高めることができる。また、歩行者の下腕部や衣服が固定金具２０に触れるのを防止できる。
【００１３】
請求項５に記載した発明は、請求項１ないし４のいずれかに記載した「手摺１０」であって、「手当たり部１４の上面１４ａ，１４ｂおよびにぎり部１６の表面には滑り止めの塗装が施されている」ことを特徴とする。
【００１４】
この発明では、滑り止めの塗装によって下腕部が滑るのを防止できる。
【００１５】
請求項６に記載した発明は、請求項１ないし５のいずれかに記載した「手摺１０」であって、「壁面１２に固定された壁面固定部材２４，２６が挿入される挿入溝２８を有する」ことを特徴とする。
【００１６】
この発明では、挿入溝２８に壁面固定部材２４，２６を挿入することができるので、壁面固定部材２４，２６と手摺１０との間に隙間が生じるのを防止できる。
【００１７】
請求項７に記載した発明は、「歩行の補助具として、または、立ち上がり動作の補助具として壁面１２に取り付けられる手摺１０の施工方法であって、手摺１０は、上面に下腕部が置かれる平坦面１４ａまたは滑らかな凹曲面１４ｂを有する手当たり部１４と、手当たり部１４の歩行者側の側端部から下方へ突出して形成されたにぎり部１６と、手当たり部１４の壁面側の側端部に壁面１２に接するように形成され、壁面１２に対して固定される固定部１８と、壁面１２に固定された壁面固定部材２４，２６が挿入される挿入溝２８とを備えており、（ａ）壁面１２に壁面固定部材２４，２６を固定し、（ｂ）挿入溝２８に壁面固定部材２４，２６を挿入した状態で固定部１８を壁面１２に接触させ、（ｃ）固定部１８を壁面１２に固定金具２０を用いて固定する、手摺１０の施工方法」である。
【００１８】
この発明では、壁面１２に壁面固定部材２４，２６を固定し、その後、挿入溝２８に壁面固定部材２４，２６を挿入した状態で壁面１２に手摺１０を取り付けるようにしているので、壁面固定部材２４，２６が手摺１０を取り付ける際のガイドとなる。
【発明の効果】
【００１９】
請求項１〜６に記載した発明によれば、にぎり部が手当たり部の歩行者側の側端部から下方へ突出して形成されているので、手当たり部に下腕部を置いて体重をかけた場合でも、下腕部ににぎり部が押し当てられることはなく、下腕部に痛みが生じるのを防止できる。また、手当たり部に手のひらを置いた場合には、にぎり部に親指を掛けることができるので、歩行や立ち上がり動作の安定性を高めることができる。
【００２０】
請求項７に記載した発明によれば、壁面に固定された壁面固定部材を、手摺を取り付ける際のガイドとして用いることができるので、施工性を高めることができる。
【発明を実施するための最良の形態】
【００２１】
図１および図２を参照して、本発明が適用された手摺１０は、歩行の補助具として、または、立ち上がり動作の補助具として壁面１２に取り付けられる長尺物であり、手当たり部１４、にぎり部１６および固定部１８によって構成されている。
【００２２】
手当たり部１４は、手摺１０の基礎的部分を構成するものであり、上面に下腕部（肘、手のひら等）が置かれる平坦面１４ａを有する長尺板状に形成されている。そして、手当たり部１４の歩行者側の側端部には、にぎり部１６が下方へ突出するように形成されており、手当たり部１４の壁面側の側端部には、固定部１８が壁面１２に接するように形成されている。
【００２３】
にぎり部１６は、手当たり部１４に手のひらを置いたときに親指が掛けられる部分であり、にぎり部１６の外面は、手当たり部１４の外面と滑らかに連続し、かつ、手当たり部１４の下方へ膨出するように略Ｒ状の曲面に形成されている。
【００２４】
固定部１８は、手当たり部１４の壁面側の側端部に略Ｔ状に形成されており、固定部１８の壁面側の側面は平坦な当接面１８ａとして構成されている。また、固定部１８の上部は、手当たり部１４から上方へ突出した上側突部１８ｂとして構成されており、固定部１８の下部は、手当たり部１４から下方へ突出した下側突部１８ｃとして構成されている。そして、上側突部１８ｂおよび下側突部１８ｃの側面は、そこに装着される固定金具（釘、ビス等）２０の頭部と面一になるように平坦に形成されている。
【００２５】
なお、手当たり部１４、にぎり部１６および固定部１８は、同じ材料で形成されてもよいし、別の材料で形成されてもよい。また、これらは、一体に形成されてもよいし、別体に形成された後に接合されてもよい。
【００２６】
また、手当たり部１４、にぎり部１６および固定部１８の材質は特に限定されるものではなく、たとえば、挽材、合板、中質繊維板（ＭＤＦ）、パーティクルボード、ハードボード、インシュレーションボード（ＩＢ）、ＯＳＢ、ＬＶＬ（単板積層板）、ＬＶＢ（単板積層板）または集成材等の単独材や任意複合材、無機質含浸木質板等の木質材、ステンレスまたはアルミニウム等の金属、ポリプロピレン等の合成樹脂を単独で用いることができ、また、これらを任意に複合して用いることもできる。
【００２７】
また、手当たり部１４、にぎり部１６および固定部１８の表面の一部または全体には、化粧面材（図示省略）を貼り付けるようにしてもよい。化粧面材は、手摺１０に対して装飾性や耐久性等を付与するものであり、化粧面材の表面には、着色塗装、柄模様印刷または透明塗装等が予め施されていてもよく、また、化粧面材の貼り付け後に、着色塗装、柄模様印刷または透明塗装等が施されてもよい。そして、化粧面材の材質は特に限定されるものではなく、たとえば、化粧紙、化粧樹脂含浸紙、オレフィンシート、塩化ビニルシート等の化粧合成樹脂シート、化粧単板または突板等を用いることができる。
【００２８】
手摺１０を壁面１２に取り付ける際には、壁面１２に対して手摺１０を位置決めし、その後、固定部１８を固定金具（釘、ビス等）２０を用いて壁面１２に固定する。手摺１０を歩行の補助具として、または、立ち上がり動作の補助具として用いる場合には、手当たり部１４に下腕部（肘、手のひら等）を置くことによって、体を支えることができる。そして、手当たり部１４に肘を置いたときには、手当たり部１４に体重をかけることによって体を支えることができ、手のひらを置いたときには、親指をにぎり部１６に掛けることによって体を支えることができる。
【００２９】
この実施例によれば、にぎり部１６が手当たり部１４の歩行者側の側端部から下方へ突出して形成されているので、にぎり部１６が下腕部に押し当てられることはない。したがって、手当たり部１４に肘を置いて体重をかけた場合でも、下腕部に痛みが生じることはない。
【００３０】
なお、上述の実施例では、手当たり部１４の上面に下腕部が置かれる平坦面１４ａを水平に形成しているが、この平坦面１４ａに代えて、図３に示すような滑らかな凹曲面１４ｂを形成してもよいし、また、図４に示すように、平坦面１４ａを壁面１２へ向かうにつれて下方へ傾くように傾斜して形成してもよい。さらに、手当たり部１４の上面（平坦面１４ａまたは凹曲面１４ｂ）およびにぎり部１６の表面には、ウレタンセラミック塗装等の滑り止め塗装を施してもよい。これらの場合には、平坦面１４ａまたは凹曲面１４ｂに置いた下腕部が歩行者側へ滑るのを確実に防止することができる。
【００３１】
また、固定部１８における上側突部１８ｂの手当たり部１４側の側面は、図５に示すように、壁面１２へ向かって上方へ傾くように傾斜して形成してもよい。この場合には、固定部１８の傾斜面１８ｄによって、下腕部を置くスペースが広げられるので、手当たり部１４の上面に置いた下腕部が動いた場合でも、固定部１８によって下腕部が圧迫されることはない。
【００３２】
また、固定部１８の上部には、図６および図７に示すように、上側突部１８ｂの手当たり部１４側の側面を覆う長尺のカバー２２を装着してもよい。この場合には、カバー２２によって固定金具２０を覆い隠すことができるので、意匠性を高めることができる。また、歩行者の下腕部や衣服が固定金具２０に触れるのを防止できる。なお、カバー２２の材質は特に限定されるものではないが、手摺１０の全体または手当たり部１４と同じ材質を用いれば、これらとの間での一体感を強めることができ、意匠性をより高めることができる。また、カバー２２の外面を滑らかな曲面に形成することによって、または、カバー２２の外面の角部に丸みを持たせることによって使用感を高めるようにしてもよい。
【００３３】
そして、固定部１８の下部には、図８および図９ならびに図１０に示すように、壁面１２に固定された腰壁パネル２４（図８、図９）やスペーサ２６（図１０）や化粧板（図示省略）等の「壁面固定部材」が挿入される挿入溝２８を形成してもよい。この場合には、挿入溝２８に腰壁パネル２４の上端部を挿入することによって、腰壁パネル２４の上端を隠すことができる。また、壁面１２に腰壁パネル２４を取り付けない場合には、挿入溝２８にスペーサ２６（図１０）を挿入することによって、手摺１０を壁面１２に対して安定して取り付けることができる。さらに、壁面１２に腰壁パネル２４を取り付ける場合であって、腰壁パネル２４の厚みが挿入溝２８の幅よりも薄い場合には、挿入溝２８に腰壁パネル２４と共に薄肉のスペーサ２６を挿入することによって、手摺１０を壁面１２に対して安定して取り付けることができる。
【００３４】
挿入溝２８を有する手摺１０を施工する際には、（ａ）壁面１２に「壁面固定部材」としての腰壁パネル２４またはスペーサ２６等を釘、ビス、両面テープまたは接着剤等の固定手段で固定し、（ｂ）挿入溝２８に腰壁パネル２４またはスペーサ２６等を挿入した状態で固定部１８を壁面１２に接触させ、（ｃ）固定部１８を壁面１２に固定金具（釘、ビス等）２０を用いて固定する。したがって、壁面１２に固定された「壁面固定部材（腰壁パネル２４、スペーサ２６等）」をガイドとして用いることができ、簡単に施工できる。
【００３５】
さらに、上述の実施例では、手摺１０の固定部１８を固定金具（釘、ビス等）２０を用いて壁面１２に固定しているが、固定金具２０に代えて接着剤や両面テープ等を用いてもよいし、固定金具２０と接着剤または両面テープとを併用してもよい。
【図面の簡単な説明】
【００３６】
【図１】手当たり部の上面に平坦面を有する手摺を示す断面図である。
【図２】手当たり部の上面に平坦面を有する手摺を示す斜視図である。
【図３】手当たり部の上面に滑らかな凹曲面を有する手摺を示す断面図である。
【図４】手当たり部の上面が傾斜している手摺を示す断面図である。
【図５】上側突部の側面が傾斜している手摺を示す断面図である。
【図６】固定部を覆うカバーを有する手摺を示す断面図である。
【図７】固定部を覆うカバーを有する手摺を示す斜視図である。
【図８】挿入溝を有する手摺を示す断面図である。
【図９】挿入溝を有する手摺を示す斜視図である。
【図１０】挿入溝を有する手摺の他の使用方法を示す断面図である。
【符号の説明】
【００３７】
１０…  手摺
１２…  壁面
１４…  手当たり部
１４ａ…  平坦面
１４ｂ…  凹曲面
１６…  にぎり部
１８…  固定部
１８ａ…  当接面
１８ｂ…  上側突部
１８ｃ…  下側突部
１８ｄ…  傾斜面
２０…  固定金具
２２…  カバー
２４…  腰壁パネル
２６…  スペーサ
２８…  挿入溝
【図１】
2005264649.tif 000003
【図２】
2005264649.tif 000004
【図３】
2005264649.tif 000005
【図４】
2005264649.tif 000006
【図５】
2005264649.tif 000007
【図６】
2005264649.tif 000008
【図７】
2005264649.tif 000009
【図８】
2005264649.tif 000010
【図９】
2005264649.tif 000011
【図１０】
2005264649.tif 000012